(57)【要約】      （修正有）【課題】調節可能な仕切りシステムを含む手荷物用品を提供する。【解決手段】手荷物用品１００は、内部格納容積１０４を画定するハウジング１０２と、ハウジングの前記内部格納容積を複数の格納コンパートメントに仕切る１又は複数の仕切り３５４と、前記ハウジング内で１又は複数の仕切りのそれぞれを移動可能に固定する調節アセンブリ３５２とを含んでもよい。ハウジングは、分割線において互いにヒンジ式に接続された第１のシェル部分１８０と第２のシェル部分１８２とによって画定されてもよい。調節アセンブリは、第１のシェル部分及び第２のシェル部分のうちの少なくとも１つの中で１又は複数の仕切りのそれぞれを移動可能に保持してもよい。調節アセンブリは、第１のシェル部分及び第２のシェル部分のうちの前記少なくとも１つの中の所望のレベルにおいて１又は複数の仕切りを選択的に位置付けるラチェット機構３５３を含んでもよい。【選択図】図２
2020006153.tif 000002
【特許請求の範囲】
【請求項１】
分割線（１８４）において互いにヒンジ式に接続された第１のシェル部分（１８０）と第２のシェル部分（１８２）とによって画定されたハウジング（１０２）であって、前記ハウジング（１０２）は内部格納容積を画定する、ハウジング（１０２）と、
前記ハウジング（１０２）の前記内部格納容積を複数の格納コンパートメントに仕切る１又は複数の仕切り（３５４）と、
前記第１のシェル部分（１８０）及び前記第２のシェル部分（１８２）のうちの少なくとも１つの中で前記１又は複数の仕切り（３５４）のそれぞれを移動可能に保持する調節アセンブリ（３５２）であって、前記調節アセンブリ（３５２）は、前記第１のシェル部分（１８０）及び前記第２のシェル部分（１８２）のうちの前記少なくとも１つの中の所望のレベルにおいて前記１又は複数の仕切り（３５４）を選択的に位置付けるラチェット機構（３５３）を含む、調節アセンブリ（３５２）と、
を含む、手荷物用品。
【請求項２】
各調節アセンブリ（３５２）は、
前記ハウジング（１０２）に保持されたアンカー（３９０）であって、前記アンカー（３９０）は１又は複数の摺動プレート（４００）と複数の歯（４０２）とを含む、アンカー（３９０）と、
前記アンカー（３９０）に接続された摺動アセンブリ（３９２）と、
を含み、
前記摺動アセンブリ（３９２）は、
前記アンカー（３９０）の前記１又は複数の摺動プレート（４００）に前記摺動アセンブリ（３９２）を摺動可能に接続する接続構造（４２２）と、
前記アンカー（３９０）の前記歯（４０２）に選択的に係合する係合構造（４２４）と、
を含む、請求項１に記載の手荷物用品。
【請求項３】
前記摺動アセンブリ（３９２）の前記接続構造（４２２）は、
前記１又は複数の摺動プレート（４００）の前表面（４３８）に摺動可能に係合する第１の部材（４３０）と、
前記１又は複数の摺動プレート（４００）の後表面４４０に摺動可能に係合する第２の部材（４３２）と、
を含む、請求項２に記載の手荷物用品。
【請求項４】
前記係合構造（４２４）は、
前記アンカー（３９０）の前記歯（４０２）に選択的に係合する１又は複数の突起（４５）と、
前記１又は複数の突起（４５０）に接続された１又は複数のアクチュエータ（４６０）であって、使用者による前記１又は複数のアクチュエータ（４６０）の作動により、前記１又は複数の突起（４５０）が前記アンカー（３９０）の前記歯（４０２）から離れるように移動されて、前記アンカー（３９０）に対する前記摺動アセンブリ（３９２）の摺動移動が可能にされる、１又は複数のアクチュエータ（４６０）と、
を含む、請求項２又は請求項３に記載の手荷物用品。
【請求項５】
複数の歯（４０２）はそれぞれが、上面（４１０）、底面（４１２）、及び前記上面（４１０）と前記底面（４１２）との間の交差部におけるリーディングエッジ（４１４）を含み、
前記上面（４１０）は、前記摺動アセンブリ（３９２）が前記アンカー（３９０）に沿って第１の方向において移動される際の、前記複数の歯に沿った前記１又は複数の突起（４５０）のラチェット移動を可能にするように、角度を付けられており、
前記底面（４１２）は、反対の第２の方向における前記アンカー（３９０）に沿った前記摺動アセンブリ（３９２）の移動を制限するように、角度を付けられている、
請求項４に記載の手荷物用品。
【請求項６】
使用者による前記１又は複数のアクチュエータ（４６０）の作動により、前記１又は複数の突起（４５０）が、前記複数の歯の前記リーディングエッジ（４１４）を通過するのに十分なだけ前記複数の歯（４０２）から離れるように移動される、請求項５に記載の手荷物用品。
【請求項７】
前記１又は複数の仕切り（３５４）は、第１の仕切り（３７０）と第２の仕切り（３７２）とを含み、
前記第１の仕切り（３７０）は、第１の複数の調節アセンブリ（３５２）によって前記第１のシェル部分（１８０）に接続され、
前記第２の仕切り（３７２）は、第２の複数の調節アセンブリ（３５２）によって前記第２のシェル部分（１８２）に接続される、
請求項２に記載の手荷物用品。
【請求項８】
前記１又は複数の仕切り（３５４）のうちの少なくとも１つは、前記手荷物用品から取り外し可能である、請求項２に記載の手荷物用品。
【請求項９】
前記１又は複数の仕切り（３５４）のうちの前記少なくとも１つを前記手荷物用品から取り外すために、前記摺動アセンブリ（３９２）は前記アンカー（３９０）から取り外し可能である、請求項８に記載の手荷物用品。
【請求項１０】
前記１又は複数の仕切り（３５４）のうちの前記少なくとも１つは自立型パネルであり、
前記１又は複数の仕切り（３５４）のうちの前記少なくとも１つを前記手荷物用品から取り外すために、前記自立型パネルは前記摺動アセンブリ（３９２）から取り外し可能である、
請求項８又は請求項９に記載の手荷物用品。
【請求項１１】
前記自立型パネルは周囲フレーム（３６２）を含み、
前記周囲フレーム（３６２）は前記摺動アセンブリ（３９２）から取り外し可能である、
請求項１０に記載の手荷物用品。
【請求項１２】
前記手荷物用品から取り外し可能な前記１又は複数の仕切り（３５４）のうちの前記少なくとも１つは、衣服バッグ、旅行用オーガナイザ、又は化粧品オーガナイザとして機能する、請求項８〜請求項１０のいずれか一項に記載の手荷物用品。
【請求項１３】
前記歯（４０２）は、前記アンカー（３９０）の側面から横方向に外向きに延在し、前記１又は複数の突起（４５０）は、前記摺動アセンブリ（３９２）の側面から横方向に内向きに延在する、請求項４に記載の手荷物用品。
【請求項１４】
前記１又は複数の突起（４５０）は、前記歯（４０２）と係合するように付勢されている、請求項１３に記載の手荷物用品。
【請求項１５】
前記歯（４０２）は、前記アンカー（３９０）の後面（４３９）からパネル（１２０、１２２、１３０、１３２）に向けて後方に延在し、前記１又は複数の突起（４５０）は、前記パネル（１２０、１２２、１３０、１３２）から離れるように前記摺動アセンブリ（３９２）から延在する、請求項４に記載の手荷物用品。
【発明の詳細な説明】
【技術分野】
【０００１】
本開示は一般に手荷物用品に関し、特に、調節可能な仕切りシステムを含む手荷物用品に関する。
【背景技術】
【０００２】
一部の手荷物ケースは、内部内容物を保護すること及び／又は格納容積を１又は複数のコンパートメントに仕切ることなどの様々な機能特性を提供するための、固定された仕切りなどの内部ファブリック要素を含む。しかし、一部の従来の手荷物ケース構成では、前記ケース内で前記仕切りを調節することが可能ではなく、これにより前記ケース内での使用者の内容物の望ましくないずれがもたらされる場合がある。加えて、一部の従来の手荷物ケース構成では、前記仕切りを前記ケースから選択的に取り外すことが可能ではない。
【０００３】
したがって、上述の問題のうちの１つ又は全てに対処する、且つ／又はより一般的に、既存の配置の改良若しくは代替を提供する、改良された手荷物ケースを、より具体的には、改良されたフレーム構造を提供することが望ましい。
【０００４】
本開示に関連する可能性がある文献としては、中国実用新案第２０５６５８５１０Ｕ号明細書、中国実用新案第２０６２７５２９９Ｕ号明細書、欧州特許第０３７９４３８Ｂ１号明細書、欧州特許出願公開第１８３３３２０Ａ１号明細書、欧州特許第２２３０９５９Ｂ１号明細書、欧州特許第２９０４９２６Ｂ１号明細書、欧州特許第３０７３８５３Ｂ１号明細書、仏国特許第２７１１０４４Ｂ１号明細書、仏国特許出願公開第２９２１２３７Ａ１号明細書、英国特許第１６１１１７Ａ号明細書、台湾特許第２８３８９０Ｂ号明細書、米国特許第４８５４４３２Ａ号明細書、米国特許第５９４７２８６Ａ号明細書、米国特許第６３０５５１３Ｂ１号明細書、米国特許第６４３５３２４Ｂ１号明細書、米国特許出願公開第２００５００９８４０２Ａ１号明細書、及び米国特許出願公開第２００９０１６６１３８Ａ１号明細書が含まれる。
【発明の概要】
【０００５】
本開示は、以下に記載され添付の特許請求の範囲において規定される、手荷物用品のための調節可能な仕切りシステムを提供する。前記仕切りシステムは、前記手荷物用品の内部格納容積を複数の格納コンパートメントに分離する１又は複数の仕切りと、前記手荷物用品内で各仕切りを移動可能に固定する１又は複数の調節アセンブリとを含んでもよい。各調節アセンブリは、前記手荷物用品に例えば一例では固定的に保持されたアンカーと、前記アンカーに摺動可能に接続された摺動アセンブリとを含んでもよい。前記アンカーは、１又は複数の係合プレートと、複数の歯とを含んでもよい。前記摺動アセンブリは、前記アンカーの前記１又は複数の係合プレートに前記摺動アセンブリを摺動可能に接続する接続構造を含んでもよい。前記摺動アセンブリは、前記アンカーの前記歯に選択的に係合する係合構造も含んでもよい。前記係合構造の作動により、前記摺動アセンブリが前記歯から係合解除されて、前記アンカーに沿った前記摺動アセンブリの選択的位置付けが可能にされてもよい。
【０００６】
本開示の実施形態は、手荷物用品を含んでもよい。前記手荷物用品は、内部格納容積を画定するハウジングと、前記ハウジングの前記内部格納容積を複数の格納コンパートメントに仕切る１又は複数の仕切りと、前記ハウジング内で前記１又は複数の仕切りのそれぞれを移動可能に固定する調節アセンブリとを含んでもよい。前記ハウジングは、分割線において互いにヒンジ式に接続された第１のシェル部分と第２のシェル部分とによって画定されてもよい。前記調節アセンブリは、前記第１のシェル部分及び前記第２のシェル部分のうちの少なくとも１つの中で前記１又は複数の仕切りのそれぞれを移動可能に固定してもよい。前記調節アセンブリは、前記第１のシェル部分及び前記第２のシェル部分のうちの前記少なくとも１つの中の所望のレベルにおいて前記１又は複数の仕切りを選択的に位置付けるラチェット機構を含んでもよい。
【０００７】
いくつかの例では、各調節アセンブリは、アンカーと、前記アンカーに接続された摺動アセンブリとを含んでもよい。前記アンカーは、１又は複数の係合又は摺動プレートと、複数の歯とを含んでもよい。前記摺動アセンブリは、前記アンカーの前記１又は複数の摺動プレートに前記摺動アセンブリを摺動可能に接続する接続構造を含んでもよい。前記摺動アセンブリは、前記アンカーの前記歯に選択的に係合する係合構造を含んでもよい。前記接続構造は、第１の部材と第２の部材とを含んでもよい。前記第１の部材は、前記１又は複数の摺動プレートの前表面に摺動可能に係合してもよい。前記第２の部材は、前記１又は複数の摺動プレートの後表面に摺動可能に係合してもよい。
【０００８】
前記係合構造は、前記アンカーの前記歯に選択的に係合する１又は複数の突起を含んでもよい。前記係合構造は、前記１又は複数の突起に接続された１又は複数のアクチュエータを含んでもよい。使用者による前記１又は複数のアクチュエータの作動により、前記１又は複数の突起が前記アンカーの前記歯から離れるように移動されて、前記アンカーに対する前記摺動アセンブリの摺動移動が可能にされてもよい。
【０００９】
加えて、前記歯は、前記アンカーの側面から横方向に外向きに延在してもよく、前記１又は複数の突起は、前記摺動アセンブリの側面から横方向に内向きに延在してもよい。この例ではさらに、前記１又は複数の突起は、前記歯と係合するように付勢されていてもよい。
【００１０】
別の例では、前記歯は、前記アンカーの後面からパネルに向けて後方に延在してもよく、前記１又は複数の突起は、前記パネルから離れるように前記摺動アセンブリから延在してもよい。
【００１１】
加えて又は別個に、各歯は、上面、底面、及び前記上面と前記底面との間の交差部におけるリーディングエッジを含んでもよい。各歯の前記上面は、前記摺動アセンブリが前記アンカーに沿って第１の方向において移動される際の、前記複数の歯に沿った前記１又は複数の突起のラチェット移動を可能にするように、角度を付けられていてもよい。各歯の前記底面は、反対の第２の方向における前記アンカーに沿った前記摺動アセンブリの移動を制限するように、角度を付けられていてもよい。使用者による前記１又は複数のアクチュエータの作動により、前記１又は複数の突起が、前記歯の前記リーディングエッジを通過するのに十分なだけ前記複数の歯から離れるように移動されてもよい。
【００１２】
いくつかの例では、前記１又は複数の仕切りは、第１の仕切りと第２の仕切りとを含んでもよい。前記第１の仕切りは、第１の複数の調節アセンブリによって前記第１のシェル部分に接続されてもよい。前記第２の仕切りは、第２の複数の調節アセンブリによって前記第２のシェル部分に接続されてもよい。
【００１３】
いくつかの例では、前記１又は複数の仕切りのうちの少なくとも１つは、前記手荷物用品から取り外し可能であってもよい。前記１又は複数の仕切りのうちの前記少なくとも１つを前記手荷物用品から取り外すために、前記摺動アセンブリは前記アンカーから取り外し可能であってもよい。前記１又は複数の仕切りのうちの前記少なくとも１つは自立型パネルであってもよい。前記１又は複数の仕切りのうちの前記少なくとも１つを前記手荷物用品から取り外すために、前記自立型パネルは前記摺動アセンブリから取り外し可能であってもよい。前記自立型パネルは周囲フレームを含んでもよい。前記周囲フレームは前記摺動アセンブリから取り外し可能であってもよい。前記手荷物用品から取り外し可能な前記１又は複数の仕切りのうちの前記少なくとも１つは、衣服バッグ、旅行用オーガナイザ、又は化粧品オーガナイザとして機能してもよい。
【００１４】
追加の実施形態及び特徴は、部分的に以下の説明において述べられ、本明細書を検討することにより当業者にとって明らかとなり、又は開示される主題の実施によって知ることができる。本開示の本質及び利点のさらなる理解は、本明細書の残りの部分と、この開示の一部を形成する図面とを参照することによって実現可能である。本開示の様々な態様及び特徴のそれぞれは、いくつかの場合には別個に、又は他の場合には本開示の他の態様及び特徴と組み合わせて、有利に使用されてもよいということを当業者は理解するであろう。
【００１５】
説明は、以下の図面を参照すればより十分に理解されるであろう。図面において、構成要素は一定の縮尺で描かれているわけではない。図面は本開示の様々な例として提示されるものであり、本開示の範囲の完全な記述と解釈されるべきではない。
【図面の簡単な説明】
【００１６】
【図１】本開示のいくつかの例による手荷物用品の前面等角図である。
【図２】開いた構成における前記手荷物用品の等角図であり、調節可能な仕切りシステムを示している。
【図３】前記調節可能な仕切りシステムの拡大詳細図であり、第１の位置における摺動アセンブリを示している。
【図４】前記調節可能な仕切りシステムの拡大詳細図であり、第２の位置における前記摺動アセンブリを示している。
【図５】図３の線５−５に沿って取られた前記調節可能な仕切りシステムの断面図である。
【図６】図３の線６−６に沿って取られた前記調節可能な仕切りシステムの部分断面図である。
【図７Ａ】本開示のいくつかの例による、前記調節可能な仕切りシステムを用いて取り外し可能な代替の仕切りの等角図である。
【図７Ｂ】本開示のいくつかの例による、前記調節可能な仕切りシステムを用いて取り外し可能な代替の仕切りの等角図である。
【図７Ｃ】本開示のいくつかの例による、前記調節可能な仕切りシステムを用いて取り外し可能な代替の仕切りの等角図である。
【図８】開いた構成における前記手荷物用品の等角図であり、追加の調節可能な仕切りシステムを示している。
【図９】開いた構成における前記手荷物用品の等角図であり、追加の調節可能な仕切りシステムを示している。
【図１０】図９の調節可能な仕切りシステムの拡大詳細図である。
【図１１】図１０の線１１−１１に沿って取られた図９の調節可能な仕切りシステムの断面図であり、アンカーと係合された摺動アセンブリを示している。
【図１２】図１０の線１１−１１に沿って取られた図９の調節可能な仕切りシステムの断面図であり、前記アンカーから係合解除された摺動アセンブリの一部を示している。
【発明を実施するための形態】
【００１７】
本開示によれば、手荷物ケース内で１又は複数の内部仕切りを調節可能に連結するための調節可能な仕切りシステムが提供される。前記仕切りシステムは、前記手荷物ケースに保持されたアンカーと、前記アンカーに摺動可能に接続された摺動アセンブリとを含む。前記摺動アセンブリと前記アンカーとの間の相対移動が前記ケース内での前記仕切りの位置の調節を可能にするように、前記仕切りは前記摺動アセンブリに保持される。
【００１８】
図１及び図２は、本開示のいくつかの例による例示的な手荷物用品１００を示す。手荷物用品１００は、内部格納容積１０４であってその中で使用者の所有物を運ぶための内部格納容積１０４を画定する複数の壁又はパネル（便宜上、以下では「パネル」とするが、これに限定することは意図しない）から形成された、ハウジング１０２を含む。一例では、ハウジング１０２は、対向する前パネル１１０及び後パネル１１２と、前パネル１１０と後パネル１１２との間に延在する複数の側パネルとから形成されてもよい。例えば、手荷物用品１００は、対向する上パネル１２０及び底パネル１２２と、前パネル１１０と後パネル１１２との間に延在する対向する左側パネル１３０及び右側パネル１３２とを含んでもよい。コーナー領域１４０が、任意の２つ又は３つの隣接するパネルの交差によって画定されてもよい。例えば、任意の３つの隣接するパネルの交差によって形成されたコーナーは「コーナー領域」とみなされてもよい。任意の２つの隣接するパネルの交差によって形成されたエッジも「コーナー領域」とみなされてもよい。
【００１９】
ハウジング１０２の所望のサイズ及び形状を提供するために、様々なパネルが構成又は配置されてもよい。図１に示すように、様々なパネルが、ハウジング１０２の高さＨ、幅Ｗ、及び奥行きＤを提供するようにサイズ決定及び形状決定されてもよい。ハウジング１０２の高さＨは、上パネル１２０と底パネル１２２との間の距離として規定されてもよい。ハウジング１０２の幅Ｗは、左側パネル１３０と右側パネル１３２との間の距離として規定されてもよい。同様に、ハウジング１０２の奥行きＤは、前パネル１１０と後パネル１１２との間の距離として規定されてもよい。前記パネルは、少なくとも図１に示すもののように、手荷物用品１００の高さが幅よりも大きく、幅が奥行きよりも大きくなるようにサイズ決定及び形状決定されてもよい。ハウジング１０２のその他のサイズ及び形状が企図され、図示及び説明する例は例示を目的とするものにすぎない。
【００２０】
図１〜図４に示す手荷物用品１００は直立型スピナー硬質側面ケースであるが、軟質側面スピナーケース、コンテナ、バックパック、ダッフルバッグ、ハンドバッグなどを含む多くのタイプの手荷物であってもよい。図示されているように、手荷物用品１００は、分割線１８４によって画定された第１のシェル部分１８０及び第２のシェル部分１８２を含む。第１のシェル部分１８０及び第２のシェル部分１８２は、それぞれ、右シェル部分及び左シェル部分、又は前シェル部分及び後シェル部分であってもよく、互いに同じようにサイズ決定されていてもよく、又は前記シェル部分のうちの一方がより大きな若しくはより小さな内部容積を含むようにサイズ決定されていてもよい。各シェル部分は、分割線１８４において周囲リム１９０を含んでもよい。周囲リム１９０は、手荷物用品１００が閉じられた場合に互いに当接してもよい。いくつかの例では、各シェル部分は、そのそれぞれの周囲リム１９０に沿ってエッジピース１９６を含んでもよい。エッジピース１９６は、手荷物用品１００の所望の美的及び／又は機能的特性を提供してもよい。例えば、エッジピース１９６は、以下で説明するように、手荷物用品１００の閉鎖を促進してもよい。エッジピース１９６はまた、周囲リム１９０をトリムして縫い目線及び／又は任意の不完全部を隠し、第１のシェル部分１８０及び第２のシェル部分１８２にきれいな外観を提供してもよく、且つ／又は第１のシェル部分１８０と第２のシェル部分１８２との間のきれいな境界を提供してもよい。
【００２１】
手荷物用品１００は硬質側面手荷物ケースとして示されているが、硬質側面材料及び軟質側面材料の多くの組み合わせから形成されてもよい。例えば、ハウジング１０２は硬質側面材料から成形されてもよく、又は硬質側面材料と軟質側面材料との組み合わせから形成されてもよい（「ハイブリッド」構成として知られている）。いくつかの例では、ハウジング１０２は全体が、本明細書中で説明する仕切りシステムを可能にするように好適に構成されたフレーム構造によって支持された軟質側面材料から形成されてもよい。前記硬質側面材料は、とりわけ、熱可塑性材料（自己強化又は繊維強化）、ＡＢＳ、ポリカーボネート、ポリプロピレン、ポリスチレン、ＰＶＣ、ポリアミド、ＰＴＦＥ、又は二軸延伸ポリプロピレンであってもよい。軟質側面材料は、とりわけ、ナイロン、キャンバス、ポリエステル、皮、ＰＶＣ、ポリプロピレン、ポリエチレン、及び／又はＰＴＦＥであってもよい。
【００２２】
手荷物用品１００は閉じた構成（図１を参照）と開いた構成（図２を参照）との間で移動されてもよい。閉じた構成では、第１のシェル部分１８０と第２のシェル部分１８２とは互いに隣接して位置付けられてもよく、一例では各周囲リム１９０が係合した状態で、使用者の所有物を手荷物用品１００の内部格納容積１０４内に包囲してもよい。一例では、各周囲リム１９０はそれぞれが、閉じられた場合の係合されたリム１９０の構造性能を向上するように、周囲の少なくとも一部に沿って、整合する形状であってさね継ぎ構造などの対応するオーバラップ構造又はインタロック構造を形成する形状を有してもよい。代替として又は加えて、各周囲リム１９０はそれぞれが、周囲の少なくとも一部に沿って、それに取り付けられたトリム構造を有してもよく、前記トリム構造は、前記手荷物ケースが閉じられた場合に整合するように且つ対応するオーバラップ構造又はインタロック構造を形成するように形状決定されていてもよい。対応する形状又はトリム構造は、周囲リム１９０の全長に沿って、又は各リム１９０の単一の部分に沿って、又は各リム１９０の２つ以上の部分に沿って延在してもよい。
【００２３】
開いた構成では、第１のシェル部分１８０と第２のシェル部分１８２とは、手荷物用品１００の内部への使用者のアクセスを可能にするために、例えば一例では互いに向けて及び互いから離れるように、互いに相対的に再配向されていてもよい。一例では、第１のシェル部分１８０と第２のシェル部分１８２との再配向により、各周囲リム１９０によって形成された各開口は上方に向くように位置付けられ（図２）、これにより使用者は各シェル部分１８０、１８２の格納容積１０４に容易にアクセスすることが可能になる。第１のシェル部分１８０及び第２のシェル部分１８２の、開いた構成と閉じた構成との間での選択的移動を可能にするために、第１のシェル部分１８０と第２のシェル部分１８２とは、ヒンジ２１０又は同様の機構によって互いに枢動可能に取り付けられていてもよい。
【００２４】
ヒンジ２１０は、例えば一例では、完全な閉鎖から完全な開放までの、第２のシェル部分１８２に対する第１のシェル部分１８０の、ヒンジ２１０の軸の周りでの回転による、選択的位置付けを可能にするように配置された多くの構成を含んでもよい。例えば、ヒンジ２１０は、布ストリップ、ゴムのストリップ、連続ヒンジ、一体ヒンジ、間隔の空いた離散ヒンジ、ジッパー構造、エラストマー材料で作られた関節継手、又は第１のシェル部分１８０と第２のシェル部分１８２との間の相対移動を可能にするその他の好適な構造を、任意の数だけ又は任意の組み合わせで含んでもよい。
【００２５】
図１及び図２を引き続き参照すると、手荷物用品１００は、支持表面に対抗して（例えば、地面に対抗して）手荷物用品１００を支持するための１又は複数の支持部材２２０を含んでもよい。支持部材２２０は、足、固定車輪アセンブリ、スピナー車輪アセンブリ、又はこれらの任意の組み合わせであってもよく、ハウジング１０２の任意の好適なパネルと関連付けられていてもよく、例えば少なくとも一例では、少なくとも底パネル１２２に接続されていてもよい。図示されているように、手荷物用品１００は、４つの支持部材２２０を含んでもよい。そのような例では、手荷物用品１００は、第１のシェル部分１８０及び第２のシェル部分１８２のそれぞれに接続された２つの支持部材２２０を含んでもよい。支持部材２２０は、ハウジング１０２の任意の好適な部分に、例えば底パネル１２２に沿ったコーナー領域１４０において又はその付近に接続されていてもよい。
【００２６】
手荷物用品１００は、第１のシェル部分１８０と第２のシェル部分１８２とを選択的に互いに固定するための閉鎖機構２８０を含んでもよい。閉鎖機構２８０は、シェル部分１８０、１８２のそれぞれを係合させるように、及び手荷物用品１００の開放及び閉鎖のための選択的作動を可能にするように、第１のシェル部分１８０と第２のシェル部分１８２との間の分割線１８４に沿って又は隣接して位置付けられていてもよい。閉鎖機構２８０は、ラッチなどの離散的機構であってもよく、又はシッパークロージャ２８２などの、分割線１８４の長さの少なくとも一部に沿って位置付けられた連続閉鎖機構であってもよい。
【００２７】
図２は、１又は複数のシェル部分の格納容積を使用者が調節することを可能にする調節可能な仕切りシステムを部分的に示す等角図である。図３は、前記仕切りシステムの拡大詳細図であり、第１の位置における仕切りを示している。図４は、前記仕切りシステムの拡大詳細図であり、第２の位置における前記仕切りを示している。図５は、図３の線５−５に沿って取られた前記仕切りシステムの断面図である。図６は、図３の線６−６に沿って取られた前記仕切りシステムの部分断面図である。図２〜図６を参照すると、手荷物用品１００は、調節アセンブリ３５２と１又は複数の仕切り３５４とを含む調節可能な仕切りシステム３５０を含む。仕切り３５４は、内部格納容積１０４を複数の格納コンパートメントに仕切ってもよい。第１のシェル部分１８０及び第２のシェル部分１８２のうちの少なくとも１つは、その中に仕切り３５４を含んでもよい。いくつかの例では、仕切り３５４は自立型パネルであってもよい。例えば、仕切り３５４は、硬質材料又は部分的に硬質の材料から形成されていてもよく、内部フレーム構造などを含んでもよい。いくつかの例では、仕切り３５４は、中央セクション３６０及び／又は周囲フレーム３６２を含んでもよい。周囲フレーム３６２は、仕切り３５４の中央セクション３６０に支持及び／又は構造を提供してもよい。例えば、周囲フレーム３６２は、ワイヤループフレームであってもよく、中央セクション３６０に張力をかけてもよい。
【００２８】
図１０に示すように、中央セクション３６０は多くの構成を含んでもよく、例えば洗濯物バッグ、衣服バッグ、旅行用オーガナイザ、化粧品バッグ又はオーガナイザなどを画定してもよい。仕切り３５４はまた、別個のフレームを必要としないパネル又は比較的硬質の材料であってもよく、それに固定された、洗濯物バッグ、衣服バッグ、旅行用オーガナイザ、化粧品バッグなどを形成する追加の軟質バッグ部分も含んでもよい。示された例は非限定的なものであり、中央セクション３６０は、とりわけ、周囲フレーム３６２に接続されたメッシュ及び／又はストラップ若しくは一連のストラップであってもよい。特定の用途に応じて、中央セクション３６０はシェル開口の全領域を覆ってもよく覆わなくてもよい。
【００２９】
いくつかの例では、第１のシェル部分１８０及び第２のシェル部分１８２のそれぞれは各仕切り３５４を含んでもよい。例えば、図８に示すように、手荷物用品１００は第１のシェル部分１８０内に第１の仕切り３７０を含んでもよく、第２のシェル部分１８２内に第２の仕切り３７２を含んでもよい。特定の用途に応じて、第１の仕切り３７０は第２の仕切り３７２と、同一ではないにしても、類似していてもよい。代替の例では、第１の仕切り３７０は、所望に応じて、第２の仕切り３７２とは異なるように構成されていてもよい。
【００３０】
図２〜図６を引き続き参照すると、各仕切り３５４は、１又は複数の調節アセンブリ３５２に接続されてもよい。本明細書中で説明するように、各調節アセンブリ３５２は、接続された仕切り３５４のハウジング１０２内での選択移動を可能にしてもよい。特に、各調節アセンブリ３５２は、接続された仕切り３５４を使用者がハウジング１０２内で移動させて、所望に応じて仕切り３５４を位置付けることを可能にする、ラチェット機構３５３を含んでもよい。いくつかの例では、各調節アセンブリ３５２は、接続された仕切り３５４を使用者がハウジング１０２のパネルに向けて、又はハウジング１０２のパネルから離れるように移動させることを可能にしてもよく、例えば、手荷物用品１００が開いている場合に、前記仕切りの下の格納容積を減少させるために下げることを、又は前記仕切りの下の格納容積を増加させるために上げることを可能にしてもよい。各調節アセンブリ３５２は、様々な実施形態において、端パネル１２０、１２２又は側パネル１３０、１３２などの、手荷物ケースのパネルと接続されているか又はそれに直接取り付けられていてもよい。一例では、調節アセンブリ３５２は、対向する端パネル１２０、１２２のそれぞれにおいて位置付けられている。別の例では、調節アセンブリ３５２は、対向する側パネル１３０、１３２のそれぞれにおいて位置付けられている。
【００３１】
図２に示すように、第１のシェル部分１８０は第１の複数の調節アセンブリ３８０を、それに接続された第１の仕切り３７０と共に含んでもよい。第１の複数の調節アセンブリ３８０は、使用者が第１の仕切り３７０を、その下に位置付けられたハウジング１０２のパネルの近くに位置付けること（格納容積を減少させる）又は前記パネルから遠くに位置付けること（格納容積を増加させる）を可能にしてもよい。そのような構成は、第１のシェル部分１８０内の格納容積を使用者が所望に応じて変化させることを可能にし得る。例えば、使用者は第１の仕切り３７０を第１のシェル部分１８０の周囲リム１９０に向けて移動させて、第１のシェル部分１８０内の格納容積を、例えば比較的より大きな量の使用者所有物の荷造りに対応するために増加させてもよい。同様に、使用者は第１の仕切り３７０を第１のシェル部分１８０の周囲リム１９０から離れるように移動させて、第１のシェル部分１８０内の格納容積を、例えば比較的小さな量の使用者所有物の荷造りに対応するために減少させてもよい。加えて又は代替として、使用者は第１の仕切り３７０を第１のシェル部分１８０の周囲リム１９０から離れるように移動させて、第１の仕切り３７０の下に位置付けられた使用者所有物に対抗する張力を第１の仕切り３７０にかけてもよく、これは例えば輸送中の前記使用者所有物のずれを制限するために有益な場合がある。
【００３２】
第２のシェル１８２は第１のシェル部分１８０と同様に構成されていてもよい。特に、図２に示すように、第２のシェル部分１８２は第２の複数の調節アセンブリ３８４を、それに接続された第２の仕切り３７２と共に含んでもよい。第２の複数の調節アセンブリ３８４は、使用者が第２の仕切り３７２を、その下に位置付けられたハウジング１０２のパネルの近くに位置付けること又は前記パネルから遠くに位置付けることを可能にしてもよい。そのような構成は、第２のシェル部分１８２内の格納容積を使用者が所望に応じて変化させることを可能にし得る。例えば、使用者は第２の仕切り３７２を第２のシェル部分１８２の周囲リム１９０に向けて移動させて、第２のシェル部分１８２内の格納容積を、例えば比較的より大きな量の使用者所有物の荷造りに対応するために増加させてもよい。同様に、使用者は第２の仕切り３７２を第２のシェル部分１８２の周囲リム１９０から離れるように移動させて、第２のシェル部分１８２内の格納容積を、例えば比較的小さな量の使用者所有物の荷造りに対応するために減少させてもよい。加えて又は代替として、使用者は第２の仕切り３７２を第２のシェル部分１８２の周囲リム１９０から離れるように移動させて、第２の仕切り３７２と左側パネル１３０との間に位置付けられた使用者所有物に対抗する張力を第２の仕切り３７２にかけてもよい。
【００３３】
調節アセンブリ３５２は多くの構成を含んでもよい。一例として、各調節アセンブリ３５２は、アンカー３９０と、アンカー３９０に接続された摺動アセンブリ３９２とを含んでもよい。図示されているように、アンカー３９０は、手荷物用品１００のハウジング１０２に、例えばハウジング１０２の上パネル１２０及び／又は底パネル１２２に、直接又は間接的に接続されている。アンカー３９０は、各シェルの周囲リム１９０とハウジング１０２の対向するパネルとの間に延在する細長い部材であってもよい。アンカー３９０は、それに対する摺動アセンブリ３９２の移動を可能にする多くの構成を含んでもよい。例えば、以下でより詳細に説明するように、アンカー３９０は、プレート、歯付き部材、凹凸のある部材などであってもよい。特定の用途に応じて、１又は複数の調節アセンブリ３５２が、仕切り３５４を支持するために位置付けられていてもよい。例えば、１又は複数の調節アセンブリ３５２が、格納容積の対向する側又は端において、前記格納容積内で仕切り３５４を支持するために位置付けられていてもよい。
【００３４】
一例では、例えば図３及び図４に示すように、調節アセンブリ３５２は、例えば対向する端パネル１２０、１２２のうちの１つ又は対向する側パネル１３０、１３２のうちの１つを含む前記手荷物用品のパネルに接続されており、且つ前記パネル上に位置付けられている。アンカー３９０は、１又は複数の係合又は摺動プレート４００と、複数の歯４０２とを含む。特定の用途に応じて、歯４０２は、アンカー３９０の対向する横方向の側面に２セット配置されていてもよく、又はアンカー３９０の面に沿って配置されていてもよい。いくつかの例では、歯４０２は、斜め形状さもなければ非対称の輪郭形状を含んでもよい。例えば図６に示すように、各歯４０２は、上面４１０、底面４１２、及び上面４１０と底面４１２との間の交差部におけるリーディングエッジ４１４を含んでもよい。上面４１０は、接続されたシェルの周囲リム１９０から離れるように角度を付けられていてもよい。底面４１２は、上面４１０とは異なるように角度を付けられていてもよい。例えば、底面４１２は、前記接続されたシェルの周囲リム１９０と実質的に平行に延在してもよい。以下で説明するように、そのような構成は、摺動アセンブリ３９２がアンカー３９０に沿って容易に下方に移動することを可能にし得ると同時に、また、使用者による追加の作動なしでの摺動アセンブリ３９２の上方移動を制限し得る。一例では、歯４０２は、アンカー３９０の側面から横方向に外向きに延在してもよく、１又は複数の突起４５０が、摺動アセンブリ３９２の側面から横方向に内向きに延在してもよい。
【００３５】
摺動アセンブリ３９２は、アンカー３９０に対する摺動アセンブリ３９２の摺動移動を可能にする多くの構成を含んでもよい。一例では、各摺動アセンブリ３９２は、摺動アセンブリ３９２をアンカー３９０の摺動プレート４００に摺動可能に接続する接続構造４２２と、アンカー３９０の歯４０２と係合する係合構造４２４とを含む。接続構造４２２は、アンカー３９０の摺動プレート４００の対向する側上に位置付けられた第１の部材４３０と第２の部材４３２とを含んでもよい。例えば、接続構造４２２の第１の部材４３０は、前記アンカーの摺動プレート４００の前表面４３８に摺動可能に係合してもよい。接続構造４２２の第２の部材４３２は、前記アンカーの摺動プレート４００の後表面４４０に摺動可能に係合してもよい。特定の用途に応じて、接続構造４２２は、アンカー３９０の摺動プレート４００に巻き付くか、又はアンカー３９０の摺動プレート４００を挟むか、又はアンカー３９０の摺動プレート４００に別様に係合して、摺動アセンブリ３９２をアンカー３９０に保持してもよい。
【００３６】
摺動アセンブリ３９２の係合構造４２４は、アンカー３９０の歯４０２に係合して、摺動アセンブリ３９２をアンカー３９０に沿った所定の位置に保持してもよい。例えば、係合構造４２４は、アンカー３９０の歯４０２に選択的に係合するように配置された１又は複数の突起４５０を含んでもよい。一例では、突起４５０はアンカー３９０の歯４０２に向けて付勢されていてもよい。この付勢により、前記突起は前記歯と係合した状態に維持され得、したがって本明細書中の他の箇所で説明するように、使用者がアクチュエータを移動させて歯４０２をアンカー３９０から係合解除することなしでは、摺動アセンブリ３９２はアンカー３９０と係合されたままにされ、摺動アセンブリ３９２が（図６参照）上方に移動することが防止され得る。
【００３７】
例えば図６に示されているように、各突起４５０は、１つの歯４０２の底面４１２と、下にある歯４０２の上面４１０とに係合して、図６に関し上方方向における、アンカー３９０に沿った摺動アセンブリ３９２の移動を制限してもよい。アンカー３９０に沿った、例えばこの例では図６の上方への、摺動アセンブリ３９２の選択移動を可能にするために、摺動アセンブリ３９２は１又は複数のアクチュエータ４６０を含んでもよく、アクチュエータ４６０はボタンと呼ばれてもよい。そのような例では、以下で説明するように、使用者による１又は複数のアクチュエータ４６０の作動により、前記突起が前記歯を通過するのを可能にするのに十分な量だけ、突起４５０がアンカー３９０の歯４０２から離れるように移動されて、（図６の破線に示すように）突起４５０が歯４０２から係合解除され、アンカー３９０に相対的な摺動アセンブリ３９２の移動が容易にされてもよい。前記アクチュエータの移動により各突起又は複数の突起が移動されるように、アクチュエータ４６０は、前記各突起若しくは複数の突起と動作可能に関連付けられていてもよく、又は前記各突起若しくは複数の突起と接続されていてもよく、又は前記各突起若しくは複数の突起に直接取り付けられていてもよい。前記突起の付勢は、コイルばね、（例えば金属若しくはプラスチックで作られた）板ばね、又は摺動アセンブリ３９２の部分として形成された一体ばねなどの、ばね（１又は複数）４６１によるものであってもよい。図示されているように、ばね４６１は、１又は複数の突起３５０と摺動アセンブリ３９２の一部との間に、又は前記アクチュエータと摺動アセンブリ３９２の一部との間に位置付けられていてもよい。
【００３８】
図６に示すように、摺動アセンブリ３９２は、使用者が前記アクチュエータを使用することなしに、アンカー３９０に沿って下方に移動されてもよい。各歯の上面４１０は上方に角度を付けられており、前記歯と係合する対応する突起３５０の部分は下方に角度を付けられており、摺動アセンブリ３９２が使用者によって下方に押されるにつれて、前記突起は、ばね４６１（１又は複数）の外向きの付勢に対抗して内向きに移動され、突起３５０は対応する歯４０２に相対的に十分な距離だけ移動され（例えば、各突起３５０の内側部分を示す図６における破線を参照）、摺動アセンブリ３９２がアンカー３９０上で下方に移動されることが可能になる（図６参照）。
【００３９】
摺動アセンブリ３９２は他の特徴を含んでもよい。例えば、摺動アセンブリ３９２は接触表面４６８を含んでもよい。以下で説明するように、使用者は、摺動アセンブリ３９２をアンカー３９０に沿って下方に移動させるために、接触表面４６８を使用してもよい。いくつかの例では、摺動アセンブリ３９２は、仕切り３５４を係合するように配置されていてもよい。例えば、摺動アセンブリ３９２は、仕切り３５４の周囲フレーム３６２を係合するように動作可能なクリップ構造４７４を含んでもよい。そのような例では、クリップ構造４７４は仕切り３５４の周囲フレーム３６２上にクリップ留めされてもよい。いくつかの例では、周囲フレーム３６２が摺動アセンブリ３９２のクリップ構造４７４上にクリップ留めされてもよい。
【００４０】
次に、仕切りシステム３５０の動作についてより詳細に説明する。言及を容易にするため、及びわかりやすくするために、前記動作は第１のシェル部分１８０の仕切りシステム３５０に関して説明される。第２のシェル部分１８２の仕切りシステム３５０の動作は、同一ではないにしても、類似していてもよい。第１の仕切り３７０を右側パネル１３２に向けて（例えば図６では下方に）移動させるために、使用者は、各摺動アセンブリ３９２の接触表面４６８を使用し、摺動アセンブリ３９２を右側パネル１３２に向けて付勢してもよい。摺動アセンブリ３９２を右側パネル１３２に向けて付勢することによって、接続構造４２２の突起４５０が、下にある歯４０２の上面４１０と係合し上面４１０に沿って摺動することが引き起こされてもよい。右側パネル１３２に向けた摺動アセンブリ３９２の継続した移動によって、突起４５０が歯４０２のリーディングエッジ４１４を通過するまで、突起４５０が、下にある歯４０２の上面４１０を前記歯のリーディングエッジ４１４に向けてずり動くことが引き起こしされてもよい。  突起４５０が歯４０２のリーディングエッジ４１４を通過したら、突起４５０は、次の下にある歯４０２に向けて付勢されてもよい。このプロセスは、摺動アセンブリ３９２が所望の量だけアンカー３９０に沿ってラチェット式に又はクリック音を伴って下げられて、アンカー３９０上の意図される位置に到達するまで繰り返されてもよい。
【００４１】
第１の仕切り３７０を右側パネル１３２から離れるように（例えば図６では上方に）移動させるために、使用者は、各摺動アセンブリ３９２の１又は複数のアクチュエータを使用してもよい。使用者による１又は複数のアクチュエータ４６０の使用によって、接続構造４２２の１又は複数の突起４５０が歯４０２から係合解除することが引き起こされてもよい。特定の用途に応じて、１又は複数のアクチュエータ４６０は、（例えば、図６における破線によって示されているように）突起４５０を歯４０２から係合解除するために、圧迫されるか、又は圧搾されるか、又は持ち上げられるか、又は押し下げられるか、又は別様に移動されてもよい。例えば、図５及び図６を参照すると、アクチュエータ４６０の使用によって、一対の突起４５０は互いに向けて移動されて、アンカー３９０の対向する横方向の側面上に２セット配置された歯４０２から突起４５０は係合解除されてもよい。使用者による１又は複数のアクチュエータ４６０の継続した作動によって、突起４５０は、歯４０２のリーディングエッジ４１４を突起４５０が通過するまで、歯４０２から離れるように移動されてもよい。歯４０２のリーディングエッジ４１４を突起４５０が通過したら、摺動アセンブリ３９２はアンカー３９０に沿って上又は下に移動し得る。例えば、突起４５０が歯４０２を係合解除したら、摺動アセンブリ３９２は、アンカー３９０に沿った所望の位置まで、右側パネル１３２から離れるように移動するよう付勢されてもよい。摺動アセンブリ３９２が所望の位置に位置付けられたら、１又は複数のアクチュエータ４６０は解放されてもよく、それにより、突起４５０がアンカー３９０の歯４０２と係合すること及び摺動アセンブリ３９２が所定の位置に保持されることが引き起こされてもよい。
【００４２】
図７Ａ〜図７Ｃは、代替の仕切り３５４の様々な図を示す。いくつかの例では、仕切り３５４は調節アセンブリ３５２から取り外し可能であってもよい。例えば、仕切り３５４は、使用又は格納のためにクローゼット内で又はフックに吊すために、手荷物用品１００から取り外されてもよい。一例として、仕切り３５４は、クローゼット内で吊すための衣服バックを画定してもよい。別の例として、仕切り３５４は、バスルーム内で便利に吊すための化粧品オーガナイザを画定してもよい。洗濯物バッグ、旅行用オーガナイザ、ビジネス用オーガナイザなどを含む、仕切り３５４のその他の構成が企図される。例えば、仕切り３５４は、フラップカバー４８０又はジップクロージャ４８２によって画定される１又は複数のコンパートメントを含んでもよい。いくつかの例では、仕切り３５４は、シャワーバー、衣類バー、又はフックなどの構造から吊すための吊し部材４８４を含む。吊し部材４８４は、フック、ループ、フック・ループファスナなどであってもよい。
【００４３】
特定の用途に応じて、仕切り３５４の自立型パネルは摺動アセンブリ３９２から取り外し可能であってもよい。仕切り３５４が周囲フレーム３６２を含む例において、仕切り３５４を手荷物用品１００から取り外すために、仕切り３５４の周囲フレーム３６２は、調節アセンブリ３５２の摺動アセンブリ３９２から取り外し可能であってもよい。加えて又は代替として、摺動アセンブリ３９２は、手荷物用品１００のハウジング１０２に固定されたアンカー３９０から取り外し可能であってもよい。図１０に示す例は例示を目的とするものにすぎず、仕切り３５４は他の構成を含んでもよい。いくつかの例では、パネルは使用されなくてもよく、代わりに可撓性ストラップ又は複数の可撓性ストラップが摺動アセンブリ（１又は複数）３９２に取り付けられてもよく、前記可撓性ストラップは前記アンカー内で前記摺動アセンブリと共に移動可能であってもよい。
【００４４】
図８は、追加の仕切りシステム８５０を部分的に示す等角図である。以下に別段の記載があるものを除き、図８に示す仕切りシステム８５０は、上述の仕切りシステム３５０に類似していてもよい。例えば、仕切りシステム８５０は、アンカー３９０に摺動可能に接続された摺動アセンブリ３９２を、それらの間の相対移動のために含んでもよい。仕切りシステム３５０と同様に、仕切りシステム８５０の摺動アセンブリ３９２は、アンカー３９０に沿った所定の位置に摺動アセンブリ３９２を保持するために、アンカー３９０の複数の歯４０２に選択的に係合してもよい。仕切りシステム８５０は、摺動アセンブリ３９２をアンカー３９０の歯４０２から係合解除するための係合解除機構も含んでもよい。しかし仕切りシステム３５０とは異なり、摺動アセンブリ３９２は、以下で説明するように、押しボタンとは異なる機構によって歯４０２から係合解除されてもよい。
【００４５】
図８を参照すると、摺動アセンブリ３９２を取り外すための、又は仕切りシステム８５０のアンカー３９０に対する摺動アセンブリ３９２の位置を変更するための、係合構造４２４の作動は、摺動アセンブリ３９２に接続されたループ５００によって達成されてもよい。より具体的には、ループ５００は、摺動アセンブリ３９２の１又は複数のアクチュエータ４６０に接続されていてもよく、又はさもなければ摺動アセンブリ３９２の１又は複数のアクチュエータ４６０として機能してもよい。例えば、ループ５００は突起４５０に直接接続されていてもよく、又は１若しくは複数の中間要素を介して間接的に接続されていてもよい。そのような例では、摺動アセンブリ３９２の突起４５０がアンカー３９０の歯４０２を係合解除することを引き起こすために、使用者はループ５００を把持し引いてもよい。突起４５０がアンカー３９０の歯４０２を係合解除したら、ループ５００を継続して引くことによって、摺動アセンブリ３９２（及び仕切り３５４）が各シェル部分の周囲リム１９０に向けて上方に移動することが引き起こされてもよい。図８の摺動アセンブリ３９２は、上述の方法と実質的に同じ方法で、アンカー３９０上の別の位置までラチェット式に下方に移動されてもよい。例えば、摺動アセンブリ３９２は使用者によって下方に押されてもよく、その結果、突起４５０は歯４０２の上面４１０に沿ってラチェット式に摺動してもよい。
【００４６】
図９は、調節アセンブリ３５２を含む追加の仕切りシステム１３５０を部分的に示す等角図である。図１０は、図９の仕切りシステム１３５０の拡大詳細図である。図１１は、図９の仕切りシステム１３５０の断面図であり、アンカーの歯と係合された摺動アセンブリの突起を示している。図１２は、図９の仕切りシステム１３５０の断面図であり、前記アンカーの前記歯から係合解除された前記摺動アセンブリの前記突起を示している。以下に別段の記載があるものを除き、図９〜図１２に示す仕切りシステム１３５０は、上述の仕切りシステム３５０、８５０に類似していてもよい。調節アセンブリ３５２は、例えば対向する端パネル１２０、１２２のうちの１つ又は対向する側パネル１３０、１３２のうちの１つを含む前記手荷物用品のパネルに接続されており、且つ前記パネル上に位置付けられている。例えば、仕切りシステム１３５０は調節アセンブリ３５２を含んでもよく、そして調節アセンブリ３５２は、アンカー３９０に摺動可能に接続された摺動アセンブリ３９２を、それらの間の相対移動のために含む。仕切りシステム３５０及び８５０と同様に、仕切りシステム１３５０の摺動アセンブリ３９２は、アンカー３９０に沿った所定の位置に摺動アセンブリ３９２を保持するために、アンカー３９０の複数の歯４０２に選択的に係合してもよい。仕切りシステム１３５０は、摺動アセンブリ３９２をアンカー３９０の歯４０２から係合解除するための係合解除機構も含んでもよい。しかし仕切りシステム８５０とは異なり、摺動アセンブリ３９２は、上記の例で説明した引きループ又は押しボタンとは異なる機構によって歯４０２から係合解除されてもよい。
【００４７】
図９〜図１２を参照すると、歯４０２は、アンカー３９０の後表面４４０上に配置されていてもよく、例えば摺動プレート４００と、手荷物用品１００のシェルのパネルであって摺動プレート４００がそれに接続され位置付けられているパネルとの間に配置されていてもよい。摺動アセンブリ３９２は、アンカー３９０の前表面４３８に沿って摺動してもよい。摺動アセンブリ３９２は、単一のレバータイプのアクチュエータ４６０を、摺動アセンブリ３９２の底において含んでもよい。摺動アセンブリ３９２は、アンカー３９０の後表面上で歯４０２に係合する単一の突起４５０も含んでもよい（図１１を参照）。アクチュエータ４６０は、レバーと呼ばれてもよく、突起４５０に直接、又は１若しくは複数の中間要素を介して接続されていてもよい。アクチュエータ４６０は、摺動アセンブリ３９２に枢動可能に接続されていてもよく、突起４５０を歯４０２との係合から解放するために、ピン５１０などによって画定される枢動軸の周りを枢動して突起４５０を移動させてもよい。一例では、使用者は、突起４５０を歯４０２から係合解除するために、係合構造４２４の一部を締め付けるか又は圧搾してもよい。例えば、使用者は、１又は複数の指をアクチュエータ４６０の下に、及び親指を接触表面４６８の上に配置し、前記要素を互いに向けて圧搾するか又は締め付けてもよい。アクチュエータ４６０は、摺動アセンブリ３９２の第１の部材４３０又は第２の部材４３２に枢動可能に接続されていてもよい。
【００４８】
そのような例では、使用者は、例えば突起４５０を歯４０２から離れるように移動させることによって、摺動アセンブリ３９２の突起４５０をアンカー３９０の歯４０２から係合解除するために、レバータイプのアクチュエータ４６０を持ち上げてもよい。突起４５０がアンカー３９０の歯４０２を係合解除したら、アクチュエータ４６０を継続して持ち上げることによって、摺動アセンブリ３９２（及び仕切り３５４）が各シェル部分の周囲リム１９０に向けて上方に移動することが引き起こされてもよい。
【００４９】
図９〜図１２の摺動アセンブリ３９２は、上述の方法と実質的に同じ方法で、ラチェット式に下方に移動されてもよい。例えば、摺動アセンブリ３９２は使用者によって、例えば一例では接触表面４６８上を下方に押すことによって、下方に押されてもよく、その結果、突起４５０は歯４０２の上面４１０に沿ってラチェット式に摺動してもよい。いくつかの例では、アンカー３９０に沿った下方への摺動アセンブリ３９２のラチェット移動によって、突起４５０が各下にある歯４０２の上を移動するにつれてアクチュエータ４６０が上下に振動することが引き起こされてもよい。
【００５０】
手荷物用品１００は、様々な材料及び手段から形成されてよい。例えば、特にハウジング１０２は、とりわけ、熱可塑性材料（自己強化又は繊維強化）、ＡＢＳ、ポリカーボネート、ポリプロピレン、ポリスチレン、ＰＶＣ、ポリアミド、及び／又はＰＴＦＥから形成されてもよい。いくつかの例では、手荷物用品１００の部分は、アルミニウム又はその他の類似した金属で押し出し成形されてもよい。加えて、ハウジング１０２は、繊維強化エポキシ、樹脂、又はその他の類似した材料から形成されてもよい。前記手荷物用品は、プラグ成形、ブロー成形、射出成形、押し出し成形、鋳造などの任意の好適な手法で形成又は成形されてもよい。上述のように、前記手荷物用品は、軟質側面材料及び／又は硬質側面材料から形成されてもよい。例示的な材料は上で述べられている。
【００５１】
全ての相対性及び方向に関する言及（上側（ｕｐｐｅｒ）、下側（ｌｏｗｅｒ）、上方（ｕｐｗａｒｄ）、下方（ｄｏｗｎｗａｒｄ）、左（ｌｅｆｔ）、右（ｒｉｇｈｔ）、左方（ｌｅｆｔｗａｒｄ）、右方（ｒｉｇｈｔｗａｒｄ）、上（ｔｏｐ）、底（ｂｏｔｔｏｍ）、側（ｓｉｄｅ）、上（ａｂｏｖｅ）、下（ｂｅｌｏｗ）、前（ｆｒｏｎｔ）、中（ｍｉｄｄｌｅ）、後（ｂａｃｋ）、垂直（ｖｅｒｔｉｃａｌ）、水平（ｈｏｒｉｚｏｎｔａｌ）などを含む）は、本明細書中に記載した特定の例を読者が理解するのを助けるための例として示されたものである。これらは特許請求の範囲において特に明記しない限り、特に位置、向き、又は使用に関する要件又は制限であると解釈されるべきではない。接続に関する言及（例えば、取り付けられ（ａｔｔａｃｈｅｄ）、連結され（ｃｏｕｐｌｅｄ）、接続され（ｃｏｎｎｅｃｔｅｄ）、接合され（ｊｏｉｎｅｄ）など）は広く解釈されるべきであり、要素の接続の間の中間部材、及び要素間の相対移動を含んでもよい。したがって、接続に関する言及は、特許請求の範囲において特に明記しない限り、２つの要素が直接接続され互いに固定された関係にあることを必ずしも意味しない。
【００５２】
当業者は、現在開示された例が、限定によってではなく例として教示するものであることを理解するであろう。したがって、上記の説明に含まれている事項又は添付の図面に示されている事項は、限定的な意味においてではなく例示的なものとして解釈されるべきである。特許請求の範囲は、本明細書中に記載した全ての一般的な特徴及び特定の特徴、並びに言語の問題としてそれらの間に入ると言われ得る本方法及びシステムの範囲の全ての言明を包含することが意図される。
【図１】
2020006153.tif 000003
【図２】
2020006153.tif 000004
【図３】
2020006153.tif 000005
【図４】
2020006153.tif 000006
【図５】
2020006153.tif 000007
【図６】
2020006153.tif 000008
【図７Ａ】
2020006153.tif 000009
【図７Ｂ】
2020006153.tif 000010
【図７Ｃ】
2020006153.tif 000011
【図８】
2020006153.tif 000012
【図９】
2020006153.tif 000013
【図１０】
2020006153.tif 000014
【図１１】
2020006153.tif 000015
【図１２】
2020006153.tif 000016
【外国語明細書】
2020006153000001.pdf